(57)【特許請求の範囲】
【請求項１】
自装置の配下の基地局制御装置に対応する３Ｇ網エリアに対する着信要求があった場合に、ＬＴＥ網エリアの交換機であるＭＭＥのアドレスを取得するためのアドレス取得要求を送信するアドレス取得要求送信部と、前記アドレス取得要求に対する応答により前記ＭＭＥのアドレスを取得した場合に、その取得したアドレスを用いて、ＬＴＥ網エリアに対する着信処理を行う着信制御部と、を含み、
前記アドレス取得要求送信部は少なくとも、前記自装置で保持している加入者プロファイルの消失後から、前記着信要求の対象の移動通信端末による該消失後の次の位置登録要求前の間に、前記アドレス取得要求を送信すること
を特徴とする回線交換装置。
【請求項２】
前記着信制御部は、前記ＬＴＥ網エリアに対する着信処理を行う際、前記３Ｇ網エリアに対する着信処理も並行して行うことを特徴とする請求項１に記載の回線交換装置。
【請求項３】
３Ｇ網エリアに対する着信要求があった場合に、着信処理を行うために用いる、ＬＴＥ網エリアの交換機であるＭＭＥのアドレスが保持されているか判断する第１のステップと、前記第１のステップによる判断の結果、前記ＭＭＥのアドレスが保持されていない場合に、ＨＬＲに問い合わせを行う第２のステップと、前記第２のステップによって取得された前記ＭＭＥのアドレスを用いてＬＴＥ網エリアに対する着信処理を行う第３のステップとを含み、
前記第２のステップは少なくとも、自装置で保持している加入者プロファイルの消失後から、前記着信要求の対象の移動通信端末による該消失後の次の位置登録要求前の間に実行されること
を特徴とする着信制御方法。
【請求項４】
前記第３のステップにおいて、前記ＬＴＥ網エリアに対する着信処理を行う際、前記３Ｇ網エリアに対する着信処理も並行して行うことを特徴とする請求項３に記載の着信制御方法。
【発明の詳細な説明】
【技術分野】
【０００１】
本発明は回線交換装置、着信制御方法に関し、特に移動通信端末に対する着信処理を行う回線交換装置、着信制御方法に関する。
【背景技術】
【０００２】
急速なデータトラフィックの増大及びコンテンツ大容量化に対応するため、高速化、低遅延、周波数効率向上を目的にＬＴＥ（Long Term Evolution）の導入が進められている。このＬＴＥにおいて、音声（Voice over Internet Protocol；ＶｏＩＰ）サービスの提供についてはＩＭＳ（IP Multimedia Subsystem）の導入が必須であるなどの理由により、早期の導入は困難である。そこで、音声発着信時にＣＳ−ＦＢ（CS-Fallback）動作を行う方式の導入が進められている（例えば、非特許文献１、非特許文献２参照）。
【０００３】
ＣＳ−ＦＢは、音声発着信時に、ＬＴＥ網による通信サービスの利用から３Ｇ（3rd Generation）網による通信サービスの利用に切替えることで、３Ｇ−ＣＳ（Circuit Switching：回線交換）ドメインを用いて音声サービスを提供するための仕組みである。このＣＳ−ＦＢについて、図１０を参照して説明する。
図１０を参照すると、本システムは、３Ｇ網における回線交換機（Mobile Switching Center；ＭＳＣ）の機能および加入者プロファイルを一時的に保持するレジスタ（Visitor Location Register；ＶＬＲ）の機能を有するＭＳＣ／ＶＬＲ１と、このＭＳＣ／ＶＬＲ１に対応して設けられた基地局制御装置（Radio Network Controller；以下、ＲＮＣと略称する）２と、ＬＴＥ網における交換機として機能するＭＭＥ（Mobility Management Entity）３と、ＭＭＥ３に対応して設けられたｅＮｏｄｅＢ４とを備えている。本システムによる通信サービスを利用できるのは、例えば携帯電話機などの移動通信端末５である。
【０００４】
ＭＳＣ／ＶＬＲ１は、図示せぬ発信元からの呼すなわち着信呼があった場合、着信処理を行う。また、ＭＳＣ／ＶＬＲ１は、図示せぬＨＬＲ（Home Location Register ）に記憶されている加入者プロファイルのうち、自装置の配下の基地局制御装置に対応する３Ｇ網エリアに在圏している移動通信端末についての加入者プロファイルを保持する。この加入者プロファイルを確認することにより、移動通信端末が３Ｇ網に在圏しているかＬＴＥ網に在圏しているかについて、判断することができる。
【０００５】
ＲＮＣ２は、図示せぬ無線基地局を制御することによって、３Ｇ網における３Ｇ網エリアを実現する機能を有している。ｅＮｏｄｅＢ４は、ＬＴＥ網におけるＬＴＥ網エリアを実現する機能を有している。
移動通信端末５は、ＬＴＥ網エリアに在圏している場合にＬＴＥを利用する通信を行うことができ、３Ｇ網エリアに在圏している場合に３Ｇ網を利用する通信を行うことができる。
【０００６】
図１０の通信システムにおいて、移動通信端末５がＬＴＥ網エリアに在圏してデータ通信を利用している時、図示せぬ他の通信端末から移動通信端末５に対する音声着信が発生すると（Ｓ１０１）、ＭＳＣ／ＶＬＲ１からＭＭＥ３を経由してＬＴＥ網エリアに在圏中の移動通信端末５に対する呼出が行われる（Ｓ１０２、Ｓ１０３）。呼出を受けた移動通信端末５は、ＣＳによる音声サービス着信であることを識別し、ＭＭＥ３に応答を返す（Ｓ１０４）。その後、ＬＴＥ網から３Ｇ網に無線を切り替えるため（ＬＴＥ網から３Ｇ網へのＨａｎｄＯｖｅｒ）、ＭＭＥ３からｅＮｏｄｅＢ４に対して無線切替指示を送信する（Ｓ１０５）。
【０００７】
このようにＬＴＥ網から３Ｇ網への無線切替が行われた後、呼出に対する移動通信端末５からの応答がＭＳＣ／ＶＬＲ１に送信される（Ｓ１０６）。その後の処理は全てＭＳＣ／ＶＬＲ１において行われる。
以上の動作について、更に図１１を参照して説明する。図１１は、上述した図１０の通信システムにおける着信時の処理を示すシーケンス図である。図１１において、移動通信端末（Mobile Terminal；ＭＴ）５がＬＴＥ網エリアに在圏してデータ通信を利用している時、他の通信端末から移動通信端末５に対する音声着信が発生すると（Ｓ１０１）、ＭＳＣ／ＶＬＲ１、ＭＭＥ３、ｅＮｏｄｅＢ４を経由してＬＴＥ網エリアに在圏中の移動通信端末５に対する呼出が行われる（Ｓ１０２、Ｓ１０３ａ、Ｓ１０３ｂ）。呼出を受けた移動通信端末５は、ｅＮｏｄｅＢ４を経由して、ＭＭＥ３に応答を返す（Ｓ１０４ａ、Ｓ１０４ｂ）。その後、ＭＭＥ３からｅＮｏｄｅＢ４に対して無線切替指示を送信する（Ｓ１０５）。
【０００８】
ＬＴＥ網から３Ｇ網への無線切替が行われた後、移動通信端末５からの応答がＲＮＣ２を経由してＭＳＣ／ＶＬＲ１に送信される（Ｓ１０６ａ、Ｓ１０６ｂ）。その後は既存の処理になり、図示せぬ発信元の通信端末とＭＴ５との間で音声通話が行われる。
【先行技術文献】
【非特許文献】
【０００９】
【非特許文献１】田中 威津馬 他 「ＬＴＥと３Ｇ回線交換サービスの連携を実現するＣＳ  Ｆａｌｌｂａｃｋ機能」ＮＴＴ  ＤＯＣＯＭＯ  テクニカル・ジャーナル ＶＯＬ．１７  ＮＯ．３、［ｏｎｌｉｎｅ］、平成２１年１０月、ＮＴＴ  ＤＯＣＯＭＯ、［平成２３年２月１７日検索］、インターネット＜URL：http://www.nttdocomo.co.jp/binary/pdf/corporate/technology/rd/technical_journal/bn/vol17_3/vol17_3_015jp.pdf＞
【非特許文献２】3GPP TS 23.272 Circuit Switched fallback in Evolved Packet System ; Stage 2
【発明の概要】
【発明が解決しようとする課題】
【００１０】
ＣＳ−ＦＢを採用した場合、ＭＳＣ／ＶＬＲ１に、加入者プロファイルが保持されていれば、上述した動作が行われ、ＬＴＥ網による通信中であっても音声呼の着信を受けることができる。
ところで、ＭＳＣ／ＶＬＲ１の故障や保守作業などによって加入者プロファイルが消失し、加入者プロファイルがＭＳＣ／ＶＬＲ１に保持されていない状態が生じることがある。このような状態が生じても、その後の位置登録の際に加入者プロファイルが復旧される。すなわち、移動通信端末の位置登録は定期的に行われるため、その位置登録の際に加入者プロファイルがＭＳＣ／ＶＬＲ１に保持される。
【００１１】
しかしながら、ＭＳＣ／ＶＬＲ１の故障や保守作業などによって加入者プロファイルが保持されていない状態が生じてから、次の位置登録のタイミングまではＭＳＣ／ＶＬＲ１に、加入者プロファイルが保持されていない状態が継続することになる。この状態の継続中に着信があった場合、その着信呼を救済することはできないという問題がある。
本発明は上述した背景技術の問題を解決するためになされたものであり、その目的はＣＳ−ＦＢが採用されている通信システムにおいて、故障や保守作業などによってＭＳＣ／ＶＬＲに加入者プロファイルが保持されていない状態においても、着信呼を正常に処理することのできる回線交換装置、着信制御方法を提供することである。
【課題を解決するための手段】
【００１２】
本発明による回線交換装置は、自装置の配下の基地局制御装置に対応する３Ｇ網エリアに対する着信要求があった場合に、ＬＴＥ網エリアの交換機であるＭＭＥのアドレスを取得するためのアドレス取得要求を送信するアドレス取得要求送信部と、前記アドレス取得要求に対する応答により前記ＭＭＥのアドレスを取得した場合に、その取得したアドレスを用いて、ＬＴＥ網エリアに対する着信処理を行う着信制御部と、を含み、前記アドレス取得要求送信部は少なくとも、前記自装置で保持している加入者プロファイルの消失後から、前記着信要求の対象の移動通信端末による該消失後の次の位置登録要求前の間に、前記アドレス取得要求を送信することを特徴とする。この構成によれば、故障や保守作業などによってＭＳＣ／ＶＬＲに加入者プロファイルが保持されていない状態においても、着信呼を正常に処理することができる。
【００１３】
また、前記着信制御部は、前記ＬＴＥ網エリアに対する着信処理を行う際、前記３Ｇ網エリアに対する着信処理も行うようにしてもよい。このようにすれば、どちらの網に在圏している場合であっても着信処理を継続させることができる。
【００１４】
本発明による着信制御方法は、３Ｇ網エリアに対する着信要求があった場合に、着信処理を行うために用いる、ＬＴＥ網エリアの交換機であるＭＭＥのアドレスが保持されているか判断する第１のステップ（例えば、図８中のステップＳ２に対応）と、前記第１のステップによる判断の結果、前記ＭＭＥのアドレスが保持されていない場合に、ＨＬＲに問い合わせを行う第２のステップ（例えば、図８中のステップＳ４に対応）と、前記第２のステップによって取得された前記ＭＭＥのアドレスを用いてＬＴＥ網エリアに対する着信処理を行う第３のステップ（例えば、図８中のステップＳ５およびＳ７に対応）とを含み、前記第２のステップは少なくとも、自装置で保持している加入者プロファイルの消失後から、前記着信要求の対象の移動通信端末による該消失後の次の位置登録要求前の間に実行されることを特徴とする。この方法によれば、故障や保守作業などによってＭＳＣ／ＶＬＲに加入者プロファイルが保持されていない状態においても、着信呼を正常に処理することができる。
【００１５】
また、前記第３のステップにおいて、前記ＬＴＥ網エリアに対する着信処理を行う際、前記３Ｇ網エリアに対する着信処理も並行して行うようにしてもよい（例えば、図８中のステップＳ７’に対応）。このようにすれば、どちらの網に在圏している場合であっても着信処理を継続させることができる。
【発明の効果】
【００１６】
本発明によれば、ＭＳＣ／ＶＬＲに保持されているプロファイルが消失している状態において着信があった場合、在圏ＭＭＥ情報をＨＬＲに問い合わせ、取得した情報を元に呼出を実施することにより、着信呼を救済することができる。
【図面の簡単な説明】
【００１７】
【図１】本発明の実施形態による回線交換装置を含む通信システムの構成および３Ｇ網に呼出を行う場合を示すブロック図である。
【図２】本発明の実施形態による回線交換装置を含む通信システムの構成およびＬＴＥ網に呼出を行う場合を示すブロック図である。
【図３】本発明の実施形態による回線交換装置の機能構成例を示すブロック図である。
【図４】図１の通信システムにおいて３Ｇ網に呼出を行う場合の動作を示すシーケンス図である。
【図５】図２の通信システムにおいてＬＴＥ網に呼出を行う場合の動作を示すシーケンス図である。
【図６】本発明の他の実施形態による回線交換装置を含む通信システムの構成を示すブロック図である。
【図７】図６の通信システムの動作を示すシーケンス図である。
【図８】図１および図２の通信システムの処理の概要を示すフローチャートである。
【図９】図６の通信システムの処理の概要を示すフローチャートである。
【図１０】ＣＳ−ＦＢにおける着信機能の概要を説明する図である。
【図１１】ＣＳ−ＦＢ処理の概要を示すシーケンス図である。
【発明を実施するための形態】
【００１８】
以下、本発明の実施の形態を、図面を参照して説明する。なお、以下の説明において参照する各図では、他の図と同等部分は同一符号によって示されている。
（実施の形態）
本発明の実施形態による回線交換装置では、ＣＳ−ＦＢが導入されている場合において、着信があった時、ＭＳＣ／ＶＬＲに、加入者プロファイルが保持されているか確認が行われる。この確認の結果、加入者プロファイルが保持されていれば、その加入者プロファイルの内容に従って呼出（ページング）が行われる。
しかしながら、着信があった時、ＭＳＣ／ＶＬＲに、加入者プロファイルが保持されていないと判断された場合、ＭＳＣ／ＶＬＲによる加入者プロファイルのリストア（restore）処理が行われる。このリストア処理は、ＨＬＲへ、加入者プロファイルの問合せを行い、取得した加入者プロファイルをＭＳＣ／ＶＬＲに、保持させる処理である。
【００１９】
（通信システム）
上記回線交換装置であるＭＳＣ／ＶＬＲを用いた通信システムの動作について、図１および図２を参照して説明する。図１において、図示せぬ他のＭＳＣを経由して着信があった時（Ｓ１０１）、加入者プロファイルが保持されていないと判断された場合にリストア処理が起動され、ＭＳＣ／ＶＬＲ１からＨＬＲ６へ、加入者プロファイルの問合せが行われる（Ｓ１０１ａ）。具体的には、着信対象の移動通信端末の加入者番号に対応するＭＭＥアドレスの問合せが行われる。この問合せに対する応答（Ｓ１０１ｂ）により、ＨＬＲ６にＭＭＥアドレスが無い（記憶されていない）ことが確認できた場合、ＭＳＣ／ＶＬＲ１から３Ｇ網エリアに対して呼出が行われる（Ｓ１０７）。すなわち、ＲＮＣ２経由で３Ｇ網エリアに在圏している移動通信端末５に対して呼出が行われる。この呼出自体は既存処理である。呼出に対し、移動通信端末５から応答が送信されると（Ｓ１０８）、ＭＳＣ／ＶＬＲ１は応答を受信して移動通信端末５についての認証を行う。以後は既存処理により、移動通信端末５は音声通信を行うことができる。
【００２０】
また、図２において、図示せぬ他のＭＳＣを経由して着信があった時（Ｓ１０１）、加入者プロファイルが保持されていないと判断された場合にリストア処理が起動され、ＭＳＣ／ＶＬＲ１からＨＬＲ６へ、図１の場合と同様に加入者プロファイルの問合せが行われる（Ｓ１０１ａ）。この問合せに対する応答（Ｓ１０１ｂ）により、ＨＬＲ６にＭＭＥアドレスが有る（記憶されている）ことが確認できた場合、その取得したＭＭＥアドレスを用いてＭＭＥ３に対する呼出要求（Ｐａｇｉｎｇ  Ｒｅｑ）が送信される（Ｓ１０２）。これにより、ｅＮｏｄｅＢ４経由でＬＴＥ網エリアに在圏している移動通信端末５に対して呼出が行われる（Ｓ１０３）。この呼出に対し、移動通信端末５から応答が送信されると、ＲＮＣ３経由でＭＳＣ／ＶＬＲ１が応答を受信する（Ｓ１０６）。その後、移動通信端末５は音声通信を行うことができる。
【００２１】
（ＭＳＣ／ＶＬＲ）
ここで、図３を参照して、ＭＳＣ／ＶＬＲ１の機能構成例について説明する。図１を参照して説明した処理を実現するため、ＭＳＣ／ＶＬＲ１は、図３に示されているように、各種の情報を記憶する記憶部１１と、ＭＭＥのアドレスを取得するためにＨＬＲに対して加入者プロファイルの取得要求を送信するアドレス取得要求送信部１２と、ＨＬＲから取得したアドレスを用いて、ＬＴＥ網エリアに対する着信処理を行う着信制御部１３と、他の装置との通信処理を制御する通信制御部１４とを備えている。このＭＳＣ／ＶＬＲ１は、回線交換を行うＭＳＣの機能とＨＬＲに保持されている情報の一部がテンポラリとして保持されるＶＬＲの機能とを備えている。
【００２２】
記憶部１１の記憶領域には、移動通信端末の加入者についてのプロファイル情報である加入者プロファイルを保持するための加入者プロファイル保持部１１ａが存在している。この加入者プロファイル保持部１１ａにＭＭＥアドレスが保持されていれば、その移動通信端末はＬＴＥ網エリアに在圏している、と判断することができる。一方、加入者プロファイル保持部１１ａにＭＭＥアドレスが保持されていなければ、その移動通信端末はＬＴＥ網エリアに在圏していない、と判断することができる。
【００２３】
（通信システムの動作）
ここで、図４および図５を参照して、本実施形態による通信システムの動作について説明する。
図４は、本実施形態による通信システムの図１の場合の動作を示すシーケンス図である。図４において、図示せぬ他のＭＳＣを経由して着信があった時（Ｓ１０１）、ＭＳＣ／ＶＬＲ１はＨＬＲ６へ、加入者プロファイルの問合せを行う（Ｓ１０１ａ）。具体的には、ＭＭＥアドレスの問合せを行う。この問合せに対する応答（Ｓ１０１ｂ）により、ＨＬＲ６にＭＭＥアドレスが無いことが確認できた場合、ＭＳＣ／ＶＬＲ１はＲＮＣ２経由で３Ｇ網エリアに在圏している移動通信端末５に対して呼出を行う（Ｓ１０７ａ、Ｓ１０７ｂ）。この呼出に対し、移動通信端末５からＲＮＣ２経由でＭＳＣ／ＶＬＲ１へ応答が送信されると（Ｓ１０８ａ、Ｓ１０８ｂ）、ＭＳＣ／ＶＬＲ１は移動通信端末５について認証を行い、以後は既存処理となる。以上の処理により、移動通信端末５は音声通信を行うことができる。
【００２４】
図５は、本実施形態による通信システムの図２の場合の動作を示すシーケンス図である。図５において、図示せぬ他のＭＳＣを経由して着信があった時（Ｓ１０１）、ＭＳＣ／ＶＬＲ１はＨＬＲ６へ、加入者プロファイルの問合せを行う（Ｓ１０１ａ）。具体的には、ＭＭＥアドレスの問合せを行う。この問合せに対する応答（Ｓ１０１ｂ）により、ＨＬＲ６にＭＭＥアドレスが有ることが確認できた場合、ＭＳＣ／ＶＬＲ１はＭＭＥアドレスを用いてＭＭＥ３に呼出要求（Ｐａｇｉｎｇ  Ｒｅｑ）を送信する（Ｓ１０２）。
【００２５】
その後、ＭＭＥ３はｅＮｏｄｅＢ４経由でＬＴＥ網エリアに在圏している移動通信端末５に対して呼出を行う（Ｓ１０３ａ、Ｓ１０３ｂ）。この呼出に対し、移動通信端末５がＭＭＥ３に応答を返すとＭＭＥ３からｅＮｏｄｅＢ４に対して無線切替指示が送信され、ＬＴＥから３Ｇへの無線切替が行われる（図示せず）。その後、移動通信端末５から応答が送信されると、ＲＮＣ３経由でＭＳＣ／ＶＬＲ１が受信する（Ｓ１０６ａ、Ｓ１０６ｂ）。以後は既存処理となり、移動通信端末５は音声通信を行うことができる。
【００２６】
以上のように、ＭＳＣ／ＶＬＲに保持されているプロファイルが消失している状態において着信があった場合、在圏ＭＭＥ情報（ＭＭＥアドレス）をＨＬＲに問い合わせ、取得した情報を元に呼出を実施することにより、着信呼を救済できる。
（他の実施形態）
ところで、図２および図５を参照して説明したＬＴＥ網エリアに対する着信処理を行う際、３Ｇ網エリアに対する着信処理も並行して行うようにしてもよい。その場合の動作について、図６を参照して説明する。
【００２７】
図６において、図示せぬ他のＭＳＣを経由して着信があった時（Ｓ１０１）、加入者プロファイルが保持されていないと判断された場合にリストア処理が起動され、ＭＳＣ／ＶＬＲ１からＨＬＲ６へ、加入者プロファイルの問合せが行われる（Ｓ１０１ａ）。具体的には、着信対象の移動通信端末の加入者番号に対応するＭＭＥアドレスの問合せが行われる。
【００２８】
この問合せに対する応答（Ｓ１０１ｂ）により、ＨＬＲ６にＭＭＥアドレスが有る（記憶されている）ことが確認できた場合、ＭＳＣ／ＶＬＲ１はその取得したＭＭＥアドレスを用いてＭＭＥ３に対する呼出要求（Ｐａｇｉｎｇ  Ｒｅｑ）を送信する（Ｓ１０２）。これにより、ｅＮｏｄｅＢ４経由でＬＴＥ網エリアに在圏している移動通信端末５に対して呼出が行われる（Ｓ１０３）。また、ＭＭＥ３に対する呼出要求の送信と並行して、ＭＳＣ／ＶＬＲ１はＲＮＣ２経由で３Ｇ網エリアに在圏している移動通信端末５に対して呼出を行う（Ｓ１０７）。
【００２９】
このように、ＬＴＥ網エリアに対する着信処理を行う際、３Ｇ網エリアに対する着信処理も並行して行えば、ＭＳＣ／ＶＬＲ１は移動通信端末５から応答を受信することができる（Ｓ１０６）。また、移動通信端末５からＭＭＥ３に応答を返し（Ｓ１０４）、ＬＴＥから３Ｇへの無線切替が行われた後、ＭＳＣ／ＶＬＲ１は移動通信端末５から応答を受信することができる（Ｓ１０８）。つまり、移動通信端末５が３Ｇ網、ＬＴＥ網のどちらのエリアに在圏していても、移動通信端末５はＭＳＣ／ＶＬＲ１からの呼出を受信し（Ｓ１０３、Ｓ１０７）、音声通信を行うことができる。
【００３０】
なお、以上の処理を実現するには、図３を参照して説明したＭＳＣ／ＶＬＲ１内の着信制御部１３が、ＬＴＥ網エリアおよび３Ｇ網エリアに対して並行して着信処理を行うようにすればよい。
さらに、シーケンス図を参照して説明する。図７は、本実施形態による通信システムの図６の場合の動作を示すシーケンス図である。
【００３１】
図７において、図示せぬ他のＭＳＣを経由して着信があった時（Ｓ１０１）、ＭＳＣ／ＶＬＲ１はＨＬＲ６へ、加入者プロファイルの問合せを行う（Ｓ１０１ａ）。具体的には、ＭＭＥアドレスの問合せを行う。
この問合せに対する応答（Ｓ１０１ｂ）により、ＨＬＲ６にＭＭＥアドレスが有る（記憶されている）ことが確認できた場合、ＭＳＣ／ＶＬＲ１はその取得したＭＭＥアドレスを用いてＭＭＥ３に対する呼出要求（Ｐａｇｉｎｇ  Ｒｅｑ）を送信する（Ｓ１０２）。これにより、ＭＳＣ／ＶＬＲ１はｅＮｏｄｅＢ４経由でＬＴＥ網エリアに在圏している移動通信端末５に対して呼出を行う（Ｓ１０３ａ、Ｓ１０３ｂ）。また、ＭＭＥ３に対する呼出要求の送信と並行して、ＭＳＣ／ＶＬＲ１はＲＮＣ２経由で３Ｇ網エリアに在圏している移動通信端末５に対して呼出を行う（Ｓ１０７ａ、Ｓ１０７ｂ）。
【００３２】
これらの呼出に対し、移動通信端末５は、ＬＴＥ網エリアに在圏している場合の処理Ａ、または、３Ｇ網エリアに在圏している場合の処理Ｂを行う。
ＬＴＥ網エリアに在圏している場合の処理Ａにおいては、ＭＭＥ３からの呼出に対し、移動通信端末５は、ｅＮｏｄｅＢ４を経由して、ＭＭＥ３に応答を返す（Ｓ１０４ａ、Ｓ１０４ｂ）。その後、ＭＭＥ３からｅＮｏｄｅＢ４に対して無線切替指示を送信する（Ｓ１０５）。
【００３３】
ＬＴＥから３Ｇへの無線切替が行われた後、移動通信端末５からの応答がＲＮＣ２を経由してＭＳＣ／ＶＬＲ１に送信される（Ｓ１０６ａ、Ｓ１０６ｂ）。その後は既存の処理になり、図示せぬ発信元の通信端末とＭＴ５との間で音声通話が行われる。
一方、３Ｇ網エリアに在圏している場合の処理Ｂにおいては、ＭＳＣ／ＶＬＲ１からの呼出に対し、移動通信端末５は、ＲＮＣ２を経由して、ＭＳＣ／ＶＬＲ１に応答を返す（Ｓ１０８ａ、Ｓ１０８ｂ）。その後は既存の処理になり、図示せぬ発信元の通信端末とＭＴ５との間で音声通話が行われる。
【００３４】
（変形例）
上述した通信システムにおいては、ＭＳＣの機能とＶＬＲの機能とを同じ装置で実現する場合について説明したが、これらの機能が別々の装置で実現されていてもよい。
上述した通信システムにおいては、ＭＳＣ／ＶＬＲとＲＮＣとが一対一に対応している場合について説明したが、ＭＳＣ／ＶＬＲに対して複数のＲＮＣが対応していてもよい。
上述した通信システムにおいては、ＭＭＥとｅＮｏｄｅＢとが一対一に対応している場合について説明したが、ＭＭＥに対して複数のｅＮｏｄｅＢが対応していてもよい。
【００３５】
（着信制御方法）
図１〜図５を参照して説明した通信システムのＭＳＣ／ＶＬＲにおいては、以下のような着信制御方法が採用されている。すなわち、図８のように、着信があるか判断が行われ（ステップＳ１）、着信があった場合は加入者プロファイルが保持されているか判断される（ステップＳ２）。加入者プロファイルが保持されている場合は、ＣＳ−ＦＢ処理が行われる（ステップＳ３）。一方、加入者プロファイルが保持されていない場合は、ＨＬＲへの問合せが行われ（ステップＳ４）、ＭＭＥアドレスが無ければ（取得されなければ）、３Ｇ網へ呼出が行われる（ステップＳ５→Ｓ６）。一方、ＨＬＲへの問合せによってＭＭＥアドレスが取得されれば、ＬＴＥ網へ呼出が行われる（ステップＳ５→Ｓ７）。
【００３６】
以上のように、呼出を行う前にＨＬＲからＭＭＥアドレスを取得し、ＭＭＥ経由で着信処理を行うことにより、移動通信端末がＬＴＥ網のエリアに在圏している場合でも、着信呼による処理を継続させることができる。
また、図６および図７を参照して説明した通信システムのＭＳＣ／ＶＬＲにおいては、以下のような着信制御方法が採用されている。すなわち、図９のように、着信があるか判断が行われ（ステップＳ１）、着信があった場合は加入者プロファイルが保持されているか判断される（ステップＳ２）。加入者プロファイルが保持されている場合は、ＣＳ−ＦＢ処理が行われる（ステップＳ３）。一方、加入者プロファイルが保持されていない場合は、ＨＬＲへの問合せが行われ（ステップＳ４）、ＭＭＥアドレスが無ければ（取得されなければ）、３Ｇ網へ呼出が行われる（ステップＳ５→Ｓ６）。一方、ＨＬＲへの問合せによってＭＭＥアドレスが取得されれば、ＬＴＥ網および３Ｇ網へ呼出が行われる（ステップＳ５→Ｓ７’）。
以上のように、ＬＴＥ網および３Ｇ網の両方に対する呼出を行うことにより、移動通信端末がどちらのエリアに在圏している場合でも、着信呼による処理を継続させることができる。
【００３７】
（まとめ）
故障や保守作業などによりＭＳＣ／ＶＬＲに保持されている加入者プロファイルが消失した場合、ＬＴＥ通信中の移動機に対する音声着信が救済できない課題を解決するため、呼出を行う前にＨＬＲへの問合せを行い、取得したＭＭＥアドレスに従って呼出を行うことにより、着信呼による処理を継続させることができる。
【００３８】
なお、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００３９】
本発明は、移動通信端末に対する着信処理を行う回線交換装置に利用することができる。
【符号の説明】
【００４０】
１  ＭＳＣ／ＶＬＲ
２  ＲＮＣ
３  ＭＭＥ
４  ｅＮｏｄｅＢ
５  移動通信端末
６  ＨＬＲ
１１  記憶部
１１ａ  加入者プロファイル保持部
１２  アドレス取得要求送信部
１３  着信制御部
１４  通信制御部
【図１】
0005654380.tif 000002
【図２】
0005654380.tif 000003
【図３】
0005654380.tif 000004
【図４】
0005654380.tif 000005
【図５】
0005654380.tif 000006
【図６】
0005654380.tif 000007
【図７】
0005654380.tif 000008
【図８】
0005654380.tif 000009
【図９】
0005654380.tif 000010
【図１０】
0005654380.tif 000011
【図１１】
0005654380.tif 000012